(57)【要約】【課題】  ユーザに乗員が、乗車する前に、内気温が設定温度に到達するのに要する所要時間を知らせる。【解決手段】  車両用空調装置は、携帯電話１０から遠隔操作されて車室内の空調を開始するものであって、マイクロコンピュータ６１は、内気温が設定温度に到達するのに要する所要時間を算出して（ステップＳ１１０）、この所要時間を示す時間データを携帯電話１０に送信する（ステップＳ１２０）。したがって、携帯電話１０が時間データに応じて、所要時間を乗員に通知する。【選択図】        図７
2006021659.tif 000002
【特許請求の範囲】
【請求項１】
車室内の空調状態を調整する室内空調ユニット（５０）を備えて、無線端末（１０）から遠隔操作されて、前記室内空調ユニットにより車室内の空調状態の調整を開始する車両用空調装置であって、
前記車室内の環境状態を検出する検出手段（７０〜７３、７４）と、
前記検出手段による検出結果に応じて、前記車室内の空気温度が設定温度に到達するのに要する所要時間を算出する算出手段（Ｓ１１０）と、
前記算出される所要時間を示す時間データを前記無線端末に送信する時間データ送信手段（Ｓ１２０）と、を備えていることを特徴とする車両用空調装置。
【請求項２】
前記算出手段は、前記検出手段による検出結果に応じて車室内の熱負荷を算出し、この算出された熱負荷と前記室内空調ユニットの最大空調能力とに基づき、前記所要時間を算出することを特徴とする請求項１に記載の車両用空調装置。
【請求項３】
前記車室内の空気温度の通知を要求する要求信号を前記無線端末から受信されたとき、前記車室内の空気温度を示す温度データを前記無線端末に送信する温度データ送信手段（Ｓ２１０）と、を備えていることを特徴とする請求項１または２に記載の車両用空調装置。
【請求項４】
前記無線端末は、携帯電話であることを特徴とする請求項１ないし３のいずれか１つに記載の車両用空調装置。
【請求項５】
前記無線端末は、走行用エンジンを遠隔操作で始動させる遠隔操作端末であることを特徴とする請求項１ないし３のいずれか１つに記載の車両用空調装置。
【請求項６】
前記検出手段は、車室内の表面温度を前記環境状態として非接触で検出する非接触温度センサ（７４）であることを特徴とする請求項１ないし５のいずれか１つに記載の車両用空調装置。
【発明の詳細な説明】
【技術分野】
【０００１】
本発明は、無線端末から遠隔操作されて車室内の空調を開始する車両用空調装置に関する。
【背景技術】
【０００２】
従来、乗員が乗車するに先だって、無線端末を用いて遠隔操作して、室内空調ユニットにより車室内空調を開始させるようにする車両用空調装置が提案されている（例えば、特許文献１参照）。
【特許文献１】特開２０００−２６４０３９号公報
【発明の開示】
【発明が解決しようとする課題】
【０００３】
しかしながら、乗員が乗車する以前に車室内空調を開始していても、乗車する際に、車室内の空気温度（以下、内気温という）が設定温度（すなわち、希望温度）に到達しているとは限らない。
【０００４】
このため、内気温が設定温度に到達する前に乗車すると、乗員にとっては不快に感じる。一方、無線端末を用いて遠隔操作した後、長い時間を経過した後に乗車すれば、内気温が設定温度に到達した状態で乗車することができるものの、乗車以前に必要以上の長時間、室内空調ユニットを作動させることになり、無駄に、エネルギーを消費することになる。
【０００５】
このため、本発明者は、快適空調および省エネルギー化を実現する為には、内気温が設定温度に到達する所要時間をユーザに知らせることが必要であると考えた。
【０００６】
本発明は、上記点に鑑み、内気温が設定温度に到達する所要時間をユーザに知らせることが可能である車両用空調装置を提供することを目的とする。
【課題を解決するための手段】
【０００７】
上記目的を達成するため、請求項１に記載の発明では、車室内の空調状態を調整する室内空調ユニット（５０）を備えて、無線端末（１０）から遠隔操作されて、前記室内空調ユニットにより車室内の空調状態の調整を開始する車両用空調装置であって、
前記車室内の環境状態を検出する検出手段（７０〜７３、７４）と、
前記検出手段による検出結果に応じて、前記車室内の空気温度が設定温度に到達するのに要する所要時間を算出する算出手段（Ｓ１１０）と、
前記算出される所要時間を示す時間データを前記無線端末に送信する時間データ送信手段（Ｓ１２０）と、を備えていることを特徴とする。
【０００８】
したがって、無線端末が、時間データに基づいて所要時間をユーザに通知すれば、ユーザが所要時間を知ることができる。このため、ユーザが乗車直前にて必要最小限の時間だけ、室内空調ユニットを作動させることができるので、省エネルギー化および快適空調を実現することができる。
【０００９】
ここで、具体的には、算出手段は、請求項２に記載の発明の如く、前記検出手段による検出結果に応じて車室内の熱負荷を算出し、この算出された熱負荷と前記室内空調ユニットの最大空調能力とに基づき、前記所要時間を算出することが必要である。
【００１０】
また、請求項４に記載の発明では、前記車室内の空気温度の通知を要求する要求信号を前記無線端末から受信されたとき、前記車室内の空気温度を示す温度データを前記無線端末に送信する温度データ送信手段（Ｓ２１０）と、を備えていることを特徴とする。
【００１１】
したがって、ユーザにとっては、無線端末により、車室内気温を確認することができるので、ユーザに安心感を与えることができる。
【００１２】
ここで、無線端末としては、請求項４に記載の発明のように、携帯電話を用いてもよく、さらに、請求項５に記載の発明のように、走行用エンジンを遠隔操作で始動させる遠隔操作端末を用いてもよい。
【００１３】
また、請求項６に記載の発明のように、検出手段として、車室内の表面温度を環境状態として非接触で検出する非接触温度センサ（７４）を用いると、車室内の輻射熱を検出することができるので、車室内の環境状態を正確に検出することができる。これに伴い、熱負荷、ひいては、所要時間を正確に算出することができる。
【００１４】
なお、上記各手段の括弧内の符号は、後述する実施形態に記載の具体的手段との対応関係を示すものである。
【発明を実施するための最良の形態】
【００１５】
図１に、本発明の一実施形態の車両用空調装置を示す。本実施形態の車両用空調装置においては、乗員が乗車する以前に、携帯電話１０から遠隔操作されると、室内エアコンユニットが、自動車４０の室内の空調状態の調整を開始するものである（図１参照）。
【００１６】
次に、本実施形態の車両用空調装置の具体的構成について図２〜図４を用いて説明する。
【００１７】
車両用空調装置は、図２に示す室内エアコンユニット５０を備えており、室内エアコンユニット５０は、計器盤内に収納される空調ケース５１を備えている。
【００１８】
この空調ケース５１内において、内外気切換ドア５２が、回転可能に支持されて、第１切換位置（図に実線で示す位置）に切り替えられて、空調ケース５１内にその外気導入口５２ａから外気を流入させ、一方、第２切換位置（図に破線で示す位置）に切り替えられて、空調ケース５１内にその内気導入口５２ｂから車室内の空気（内気）を流入させる。
【００１９】
ここで、内気を流入させるモードを内気モードといい、外気を流入させるモードを外気モードという。
【００２０】
ブロワ５３は、ブロワモータ５３ａの回転速度に応じて、外気導入口５２ａからの外気または内気導入口５２ｂからの内気を空気流としてエバポレータ５４に向けて送風し、エバポレータ５４は、そのブロワ５３から吹き出される空気流を、公知の冷凍サイクルの作動によって循環する冷媒により冷却する。
【００２１】
エアミックスドア（Ａ／Ｍドア）５５は、エバポレータ５４から吹き出される冷却空気流をヒータコア５６に流入される気流とヒータコア５６をバイパスする気流（以下、バイパス冷却気流という）とに分ける。
【００２２】
ヒータコア５６に流入される気流は、ヒータコア５６内のエンジン冷却水（温水）により加熱されるので、ヒータコア３から温風が吹き出されることになる。これに伴い、ヒータコア５６から吹き出される温風とバイパス冷却気流とは混合されて吹出口ドア５７、５８、５９に向けて流動されることになる。温風とバイパス冷却気流との混合比ＳＷ（％）は、エアミックスドア５５の開度により決められることになる。
【００２３】
吹出口ドア５７は、デフモード時にて第１切換位置（図に実線で示す位置）から第２切換位置（図に破線で示す位置）に切り換えられて、開口部５７ａを開けて開口部５７ａから主にフロントウインドシールドに向けて空気を吹き出さる。
【００２４】
吹出口ドア５８は、フェイスモード時に第１切換位置（図に実線で示す位置）から第２切換位置（図に破線で示す位置）に切り換えられて、開口部５８ａを開けこの開口部５８ａから車室の乗員上半身に向けて空気を吹き出させる。
【００２５】
吹出口ドア５９は、フットモード時にて第１切換位置（図に実線で示す位置）から第２切換位置（図に破線で示す位置）に切り換えられて、開口部５９ａを開け開口部５９ａから車室の乗員下半身に向けて空気を吹き出させる。
【００２６】
さらに、車両用空調装置は、図３に示すエアコンＥＣＵ６０を備えており、エアコンＥＣＵ６０は、マイクロコンピュータ６１、入力インターフェイス回路６２、および出力インターフェイス回路６３を備えている。
【００２７】
マイクロコンピュータ６１には、内気温センサ７０により検出される内気温と、外気温センサ７１により検出される外気温と、日射センサ７２により検出される車室内の日射強度と、エバ吹出温度センサ７３により検出されるエバポレータ５４から吹き出される空気温度（以下、蒸発器吹出空気温度という）と、ＩＲセンサ（非接触温度センサ）７４で検出される車室内の所定箇所（例えば、座席、天井）の表面温度と、温度センサ７５によりを検出されるエンジン冷却水（温水）の温水温度、乗員により設定された温度設定器７５から出力される設定温度が入力される。ここで、ＩＲセンサ７４により車室内の輻射熱が検出されることになる。
【００２８】
一方、マイクロコンピュータ６１は、出力インターフェイス回路６３を介してサーボモータ８０〜８２に制御信号を出力してサーボモータ８０〜８２を個々に制御する。
【００２９】
ここで、サーボモータ８０は、内外気切換ドア５２を開閉するモータであり、サーボモータ８１は、エアミックスドア５５を開閉するモータである。サーボモータ８２は、吹出口ドア５７〜５９をそれぞれ独立に開閉する。
【００３０】
さらに、エアコンＥＣＵ６０は、図４に示すように、通信バスを介してデータ通信モジュール３０に接続されている。データ通信モジュール（ＤＣＭ）３０は、移動体通信網２０の基地局との間の無線通信を介して携帯電話１０との間で通信する。データ通信モジュール（ＤＣＭ）３０は、アンテナ３１を通して、移動体通信網２０の基地局との間で無線通信を行うものである。携帯電話１０は、後述するように、室内エアコンユニット５０を遠隔操作する無線端末としての機能を果たす。また、エアコンＥＣＵ６０は、通信バスを介して、エンジンＥＣＵ、ナビゲーションＥＣＵなどの各種の電子制御装置９０、９１、９２との間で通信を行うものである。
【００３１】
次に、本実施形態のエアコンＥＣＵ６０の具体的な作動について図５、図６を用いて説明する。
【００３２】
エアコンＥＣＵ６０は、携帯電話１０からの遠隔操作に応じて空調制御する遠隔空調制御処理と、携帯電話１０からの要望により、内気温を示す温度データを携帯電話１０に通知する内気温通知処理と、携帯電話１０からの遠隔操作に応じて設定温度度を変更する設定温度変更処理、携帯電話１０からの遠隔操作に応じてエンジンを停止するエンジン停止処理をそれぞれ実行する。以下、遠隔空調制御処理、内気温通知処理、設定温度変更処理、並びに、エンジン停止処理を大別して説明する。
【００３３】
（遠隔空調制御処理）
エアコンＥＣＵ６０のマイクロコンピュータ６１は、図５のフローチャートにしたがって、遠隔空調制御処理を実行する。当該遠隔空調制御処理は、走行用エンジンの停止中（すなわち、イグニッションスイッチＩＧのオフ中）にて、携帯電話１０からの始動指示要求を受信したときに開始される。すなわち、ユーザが乗車する以前にて、携帯電話１０に対して、走行用エンジンの始動を指令するための指令操作を行う。
【００３４】
すると、携帯電話１０が指令信号を送信し、この指令信号が移動体通信網２０を介してアンテナ３１を通してデータ通信モジュール（ＤＣＭ）３０で受信されると、マイクロコンピュータ６１は、起動開始（ウェイクアップ）して、図５のフローチャートにしたがって、コンピュータプログラムの実行を開始する。
【００３５】
先ず、内気温センサ７０、外気温センサ７１、日射センサ７２、エバ吹出温度センサ７３、ＩＲセンサ７４によって、内気温、外気温、日射強度、蒸発器吹出空気温度、車室内表面温度を検出し、さらに、温度設定器７５によって設定される設定温度（希望温度）が入力される（ステップＳ１００）。ここで、設定温度は、乗員が下車する前に設定された温度である。
【００３６】
次に、内気温Ｔｒ（℃）、外気温Ｔａｍ（℃）、日射強度Ｔｓ（ｋＷ／ｍ２）、車室内表面温度Ｔｓｅｔ（℃）、設定温度Ｔｓｅｔ（℃）に基づき、以下の如く、内気温が設定温度Ｔｓｅｔに到達するのに要する所要時間を算出する（ステップＳ１１０）。
【００３７】
ここで、車室内空間容積＝Ｓ（ｍ３）とすると、車室内の熱負荷Ｌ（Ｊ）は、数式１で計算できる。
【００３８】
Ｌ（Ｊ）  ＝Ａ（Ｊ）＋Ｂ（Ｗ）×ｔ（sec）……（数式１）
ここで、Ａ（Ｊ）は、外部からの熱量の侵入＝０と仮定した場合に、内気温が設定温度に到達させるのに必要な熱量であり、Ｂ（Ｗ）は、内気温が設定温度に到達後に内気温が設定温度を維持するのに必要な負荷（熱量）であり、それぞれ、以下の様な数式２、数式３であらわされる。
【００３９】
Ａ（Ｊ）  ＝Ｓ×｛Ｋ１・（Ｔｒ−Ｔｓｅｔ）＋Ｋ２・Ｔａｍ
＋Ｋ３・Ｔｓ＋Ｋ４・Ｔｉｒ＋Ｃ１｝＋Ｃ２……（数式２）
Ｂ（Ｗ）＝Ｓ×（Ｋ５・Ｔｓｅｔ＋Ｋ６・Ｔａｍ＋Ｋ７・Ｔｓ＋Ｃ３）
＋Ｃ４……（数式３）
ここで、Ｋｉ（ｉ＝１〜４）、Ｃｊ（ｊ＝１〜４）はそれぞれ定数である。
【００４０】
次に、内気温が設定温度に到達するのに必要な所要時間を求める。先ず、車輌の最大冷房能力（最大暖房能力）は、搭載されている室内エアコンユニット５０の能力によってきまる。
【００４１】
ここで、最大冷房能力をＫ（Ｗ）とすると、所要時間ｔは、数式４であらわされる。
【００４２】
所要時間ｔ（ｓｅｃ）＝Ｌ／Ｋ＝｛Ａ＋（Ｂ×ｔ）｝／Ｋ……（数式４）
そして、数式４を変形すると、所要時間ｔ＝Ａ／（Ｋ−Ｂ）が得られて、所要時間ｔを求めることができる。
【００４３】
次に、所要時間ｔを示す時間データをデータ通信モジュール（ＤＣＭ）３０からアンテナ３１を通して送信させる（ステップＳ１２０）。このため、この時間データは、移動体通信網を通して携帯電話１０に送られる。したがって、携帯電話１０は、表示パネルにて所要時間ｔを表示させるので、所要時間ｔがユーザに通知される。
【００４４】
次に、エンジンＥＣＵに対して走行用エンジンを始動させることを指令して、室内エアコンユニット５０による車室内の空調制御を開始する（ステップＳ１３０）。
【００４５】
先ず、車室内へ吹き出される空調風の目標吹出温度ＴＡＯを算出する。この目標吹出温度ＴＡＯは車室内を設定温度Ｔｓｅｔに維持するために必要な吹出温度である。
【００４６】
ＴＡＯ＝Ｋｓｅｔ×Ｔｓｅｔ−Ｋｒ×ＴＲ−Ｋａｍ×ＴＡＭ
−Ｋｓ×ＴＳ＋Ｃ……（数式５）
ここで、Ｋｓｅｔ、Ｋｒ、Ｋａｍ、Ｋｓは制御ゲインであり、Ｃが、補正用の定数である。
【００４７】
これに伴い、周知の如く、目標吹出温度ＴＡＯに基づいて、内気モード、外気モードのうち一方を内外気モードとして決定し、サーボモータ８０を制御して当該決定される内外気モードを実行する。
【００４８】
さらに、周知の如く、目標吹出温度ＴＡＯに基づいて、ブロワ５３の風量（すなわち、ブロワモータ５３ａの回転数）を決定し、この決定される風量に基づいてブロワモータ５３ａを制御する。さらに、フェイスモード、フットモードのうち一方を吹出モードとして決定して、さらにサーボモータ８２を制御して吹出口ドア５８、５９を開閉して当該決定される吹出モードを実施する。
【００４９】
さらに、エアミックスドア５５の目標開度ＳＷを次の数式６により算出する。
【００５０】
ＳＷ＝｛（ＴＡＯ−ＴＥ）／（ＴＷ−ＴＥ）｝×１００（％）
……（数式６）
ここで、ＴＥは蒸発器吹出空気温度であり、ＴＷは、エンジン冷却水の温水温度である。目標開度ＳＷは、ヒータコア５５の通風路を全閉する最大冷房位置を０％とし、冷風バイパス通路１５を全閉する最大暖房位置を１００％とする百分率で算出される。そして、サーボモータ８１を制御してエアミックスドア５５の開度を目標開度ＳＷに一致させる。
【００５１】
以上のように、ブロワ５３、サーボモータ８０、８１、８２をそれぞれ制御して、車室内に吹き出される空気温度を目標吹出温度ＴＡＯに近づけるようにすることになる。
【００５２】
その後、内気温センサ７０で検出される内気温が設定温度Ｔｓｅｔに到達すると、ステップＳ１４０でＹＥＳと判定し、その内気温が設定温度Ｔｓｅｔに到達した旨を示す完了データをデータ通信モジュール（ＤＣＭ）３０からアンテナ３１を通して送信させる（ステップＳ１５０）。このため、この時間データは、移動体通信網を通して携帯電話１０に送られる。
【００５３】
したがって、携帯電話１０は、表示パネルにて「内気温が設定温度Ｔｓｅｔに到達した旨」を表示してユーザに通知する。その後、目標吹出温度ＴＡＯに応じて、ブロワ５３、サーボモータ８０、８１、８２をそれぞれ制御して、車室内の空調制御を継続する（ステップＳ１６０）。
【００５４】
（内気温通知処理）
エアコンＥＣＵ６０のマイクロコンピュータ６１は、図６のフローチャートにしたがって、内気温通知処理を実行する。当該内気温通知処理は、室内エアコンユニット５０の空調制御の実行中にて、携帯電話１０から内気温通知要求信号を受信したときに開始される。すなわち、ユーザが乗車する以前にて、携帯電話１０に対して、内気温の通知を要求するための操作を行う。すると、携帯電話１０が要求信号を送信し、この要求信号が移動体通信網２０を介してアンテナ３１を通してデータ通信モジュール（ＤＣＭ）３０で受信されると、マイクロコンピュータ６１は、マイクロコンピュータ６１は、図６のフローチャートにしたがって、コンピュータプログラムの実行を開始する。
【００５５】
先ず、内気温センサ７０により内気温を検出し（ステップＳ２００）、その検出される内気温を示す温度データをデータ通信モジュール（ＤＣＭ）３０からアンテナ３１を通して送信させる（ステップＳ２１０）。このため、この時間データは、移動体通信網を通して携帯電話１０に送られる。したがって、携帯電話１０は、表示パネルにて内気温を表示させるので、内気温がユーザに通知されることになる。その後、車室内の空調制御を継続する（ステップＳ２２０）。
【００５６】
（設定温度変更処理）
エアコンＥＣＵ６０のマイクロコンピュータ６１は、図７のフローチャートにしたがって、設定温度変更処理を実行する。なお、図７において、図５と同一符号は、同一処理を示す。
【００５７】
当該設定温度変更処理は、室内エアコンユニット５０の空調制御の実行中にて、携帯電話１０から設定温度変更信号を受信したときに開始される。
【００５８】
すなわち、ユーザが乗車する以前にて、携帯電話１０に対して、設置温度を変更するための操作を行う。この操作により希望する設定温度が入力され、この入力される設定温度を含む設定温度変更信号が携帯電話１０から送信される。
【００５９】
この設定温度変更信号が移動体通信網２０を介してアンテナ３１を通してデータ通信モジュール（ＤＣＭ）３０で受信されると、マイクロコンピュータ６１は、図７のフローチャートにしたがって、コンピュータプログラムの実行を開始する。
【００６０】
先ず、センサ７０〜７６によって、内気温Ｔｒ、外気温Ｔａｍ、日射強度Ｔｓ、車室内表面温度Ｔｉｒ、蒸発器吹出空気温度ＴＥ、温水温度ＴＷを検出する（ステップＳ１００）。そして、この検出される内気温Ｔｒ、外気温Ｔａｍ、日射強度Ｔｓ、車室内表面温度Ｔｉｒと、携帯電話１０により入力される設定温度Ｔｓｅｔとに応じて、上述と同様、数式１〜数式４を用いて、内気温が設定温度Ｔｓｅｔに到達するのに要する所要時間ｔを算出する（ステップＳ１１０）。
【００６１】
その後、所要時間ｔを示す時間データをデータ通信モジュール（ＤＣＭ）３０からアンテナ３１を通して送信させる（ステップＳ１２０）。
【００６２】
その後、内気温Ｔｒ、外気温Ｔａｍ、日射強度Ｔｓ、車室内表面温度Ｔｉｒ、設定温度Ｔｓｅｔ、蒸発器吹出空気温度ＴＥ、温水温度ＴＷに応じて、室内エアコンユニット５０による車室内の空調制御を開始する（ステップＳ１３０）。そして、内気温が設定温度Ｔｓｅｔに到達すると、その内気温が設定温度Ｔｓｅｔに到達した旨を示す完了データをデータ通信モジュール（ＤＣＭ）３０からアンテナ３１を通して送信させる（ステップＳ１５０）。その後、車室内の空調制御を継続する（ステップＳ１６０）。
【００６３】
（エンジン停止処理）
エアコンＥＣＵ６０のマイクロコンピュータ６１は、図８のフローチャートにしたがって、エンジン停止処理を実行する。当該エンジン停止処理は、室内エアコンユニット５０の空調制御の実行中にて、携帯電話１０からエンジン停止信号を受信したときに開始される。
【００６４】
すなわち、ユーザが乗車する以前にて、携帯電話１０に対して、走行用エンジンを停止するための操作を行う。これに伴い、エンジン停止信号が携帯電話１０から送信される。
このエンジン停止信号が移動体通信網２０を介してアンテナ３１を通してデータ通信モジュール（ＤＣＭ）３０で受信されると、マイクロコンピュータ６１は、図８のフローチャートにしたがって、コンピュータプログラムの実行を開始する。
【００６５】
先ず、室内エアコンユニット５０の空調制御を停止して（ステップＳ４００）、エンジンＥＣＵに対して走行用エンジンの停止を指令して（ステップＳ４１０）、空調制御の停止および走行用エンジンの停止を通知するための通知データをデータ通信モジュール（ＤＣＭ）３０からアンテナ３１を通して送信させる（ステップＳ４２０）。したがって、携帯電話１０は、表示パネルにて「空調制御および走行用エンジンを停止した旨」を表示してユーザに通知する。その後、マイクロコンピュータ６１は、スリープ状態になる（ステップＳ４３０）。
【００６６】
次に、本実施形態の作用効果について説明する。すなわち、本実施形態の車両用空調装置は、携帯電話１０から遠隔操作されて車室内の空調を開始するものであって、マイクロコンピュータ６１は、内気温が設定温度に到達するのに要する所要時間を算出して、この所要時間を示す時間データを携帯電話１０に送信することを特徴とする。
【００６７】
したがって、携帯電話１０が時間データに応じて、所要時間を乗員に通知することができるので、乗員が、乗車する前に、「内気温が設定温度に到達するのに要する所要時間」を知ることができる。このため、ユーザが乗車直前にて必要最小限の時間だけ、室内エアコンユニット５０を作動させることができる。
【００６８】
例えば、所要時間が５分の場合には、乗車の５分前に、室内エアコンユニット５０の作動を遠隔操作にて開始させることができるので、室内エアコンユニット５０を無駄に作動させることを防ぐことができるので、省エネルギー化および快適空調を実現することができる。
【００６９】
また、室内エアコンユニット５０を遠隔操作するにあたり、携帯電話１０を用いるので、携帯電話１０のサービスエリア（すなわち、通信可能なエリア）内であれば、車両から遠く離れた場所でも、室内エアコンユニット５０を遠隔操作することができる。
【００７０】
さらに、ＩＲセンサ７４で検出される表面温度としての輻射熱を用いて、車室内の熱負荷を算出するので、より正確な熱負荷を求めることができる。これに伴い、内気温が設定温度Ｔｓｅｔに到達するのに要する所要時間を正確に算出することができる。
【００７１】
（その他の実施形態）
上述の実施形態では、無線端末として携帯電話１０を用いた例について説明したが、これに限らず、空調制御の遠隔操作を専用で行う専用端末を用いてもよく、また、走行用エンジンを遠隔操作するエンジンスタータとして機能する端末を用いてもよい。
【００７２】
また、本発明の実施にあたり、熱負荷Ｌ、所要時間を算出する上で、ファジー演算、ニュートラルネットワーク演算を用いてもよい。また、熱負荷Ｌを算出する際に、内気温、外気温、日射量等以外に、緯度、経度、時間、季節などを加味して算出してもよい。
【００７３】
以下、上記実施形態と特許請求項の範囲の構成との対応関係について説明すると、携帯電話１０が無線端末に相当し、室内エアコンユニット５０が「車室内の空調状態を調整する室内空調ユニット」に相当し、「内気温センサ７０、外気温センサ７１、日射センサ７２、ＩＲセンサ７４」が検出手段に相当し、ステップＳ１１０の処理が、「検出手段による検出結果に応じて、前記車室内の空気温度が設定温度に到達するのに要する所要時間を算出する算出手段」に相当し、ステップＳ１２０の処理が「算出される所要時間を示す時間データを前記無線端末に送信する時間データ送信手段」に相当し、ステップＳ２１０の処理が「車室内の空気温度の通知を要求する要求信号を前記無線端末から受信されたとき、前記車室内の空気温度を示す温度データを前記無線端末に送信する温度データ送信手段」に相当する。
【図面の簡単な説明】
【００７４】
【図１】本発明の車両用空調装置の一実施形態の概略を説明するための図である。
【図２】図１の車両用空調装置の室内空調ユニットの構成を示す模式図である。
【図３】図１の車両用空調装置のエアコンＥＣＵの構成を示す模式図である。
【図４】図１のエアコンＥＣＵとデータ通信モジュールとの接続を示す模式図である。
【図５】図１のエアコンＥＣＵの制御処理の一部を示すフローチャートである。
【図６】図１のエアコンＥＣＵの制御処理の一部を示すフローチャートである。
【図７】図１のエアコンＥＣＵの制御処理の一部を示すフローチャートである。
【図８】図１のエアコンＥＣＵの制御処理の残りを示すフローチャートである。
【符号の説明】
【００７５】
１０…携帯電話、６０…エアコンＥＣＵマイクロコンピュータ、
６１…マイクロコンピュータ。
【図１】
2006021659.tif 000003
【図２】
2006021659.tif 000004
【図３】
2006021659.tif 000005
【図４】
2006021659.tif 000006
【図５】
2006021659.tif 000007
【図６】
2006021659.tif 000008
【図７】
2006021659.tif 000009
【図８】
2006021659.tif 000010